(57)【要約】【課題】筐体に対し前扉をがたつきなく閉鎖して隙間が生じないように堅固にロックして、不正解錠を防止することができる遊技機用施錠装置を提供する。【解決手段】受け部２には嵌入ロック部１を嵌入させる嵌入凹部２０が形成され、嵌入凹部の内面に鋸歯状部２１が設けられる。嵌入ロック部１のケーシング１０内には、係止ラック部１３を突設した係止部材１１が係止ラック部をケーシング１０から出入する方向に回動可能に枢支される。ばね部材１７が係止ラック部１３をケーシング１０から突き出す方向に係止部材１１を付勢して配設される。係止部材１１に係合して係止ラック部１３を内側に戻す方向に回動させるための解錠部材１５が嵌入ロック部１に配設される。解錠部材１５は連結杆５を介してシリンダ錠７の錠軸に固定したカム部材８に連係され、連結杆５には施錠状態でカム部材に係合して連結杆の移動を阻止するロック部材２８が取り付けられる。【選択図】図１
2005160798.tif 000002
【特許請求の範囲】
【請求項１】
筐体側の内側に固定された受け部に、前扉側の内側に固定された嵌入ロック部を嵌入させて前扉を施錠する遊技機用施錠装置であって、
該受け部には該嵌入ロック部を嵌入させる嵌入凹部が形成されると共に、該嵌入凹部の内面に鋸歯状部が設けられ、該嵌入ロック部のケーシング内には、係止ラック部を突設した係止部材が該係止ラック部をケーシングから出入する方向に回動可能に枢支され、ばね部材が該係止ラック部を該ケーシングから突き出す方向に該係止部材を付勢して配設されると共に、該係止部材に係合して該係止ラック部を内側に戻す方向に回動させるための解錠部材が該嵌入ロック部に配設され、該解錠部材は連結杆を介してシリンダ錠の錠軸に固定したカム部材に連係され、該連結杆には施錠状態で該カム部材に係合して該連結杆の移動を阻止するロック部材が取り付けられたことを特徴とする遊技機用施錠装置。
【請求項２】
前記嵌入ロック部は前記前扉に固定される基枠体の上部と下部に取り付けられ、前記受け部は前記筐体内の上部と下部の該嵌入ロック部に対応した位置に取り付けられ、該基枠体の中間位置に前記シリンダ錠が該錠軸を該基枠体の内側に挿入して取り付けられ、前記連結杆が該基枠体の内側に摺動可能に配設されていることを特徴とする請求項１記載の遊技機用施錠装置。
【請求項３】
前記嵌入ロック部は前記基枠体の上部と下部に嵌合部を介して嵌着され、連結杆の上端部と下端部が前記解錠部材の連結部に嵌め込まれて連結されることを特徴とする請求項１記載の遊技機用施錠装置。
【発明の詳細な説明】
【技術分野】
【０００１】
本発明は、パチンコ機、スロットマシンなどの遊技機の前面枠（前扉）を本体枠（筐体）に対し施錠する施錠装置に関し、特に前面枠を本体枠に対しがたつきなく閉鎖し施錠することが可能な遊技機用施錠装置に関する。
【背景技術】
【０００２】
遊技機の前面枠（前扉）を本体枠に対し施錠する施錠装置として、略断面Ｌ字状の取付板と支持板からなる基枠の内側に、摺動杆が摺動可能に配設され、支持板の上部と下部に鉤部が摺動杆に連結されて傾動可能に枢支され、取付板の中間部にシリンダ錠がその錠軸を取付板に設けた孔から内側に差込むように固定され、錠軸の先端に摺動杆と係合するカム部材が固定されてなる施錠装置が、一般に使用されている（例えば下記特許文献１などを参照）。
【特許文献１】実公昭５８−４１９９８号公報
【０００３】
この種の施錠装置は、遊技機の前面枠の自由端の内側に、その鉤部を本体枠側に向けて縦に固定され、本体枠の内側には、上下の鉤部に対向する位置に、受け部が固定される。そして、前面枠を閉じたとき、その鉤部が受け部に当って傾動しまたは平行移動した後、ばねの付勢力により元の係止姿勢に戻ることにより、鉤部が受け部に係止され施錠される。
【発明の開示】
【発明が解決しようとする課題】
【０００４】
しかしながら、このような構造の施錠装置では、鉤部が受け部に対し係止動作を行う際、鉤部の傾動または平行移動を良好にするために、通常、鉤部と受け部の間に僅かな隙間を生じるようにしているか、或いはばねの付勢力に抗して鉤部が動き得る状態にしている。このため、施錠された遊技機の前面枠を持って開放方向に引いた場合、僅かではあるが前面枠にがたつきが生じ、それによって、前面枠と本体枠の間に隙間が生じる場合があった。このような隙間が前面枠と本体枠の間に生じた場合、その隙間から針金などを差し込んで不正解錠が行なわれる問題があった。
【０００５】
本発明は、上記の課題を解決するためになされたもので、筐体に対し前扉をがたつきなく閉鎖して隙間が生じないように堅固にロックして、不正解錠を防止することができる遊技機用施錠装置を提供することを目的とする。
【課題を解決するための手段】
【０００６】
上記の目的を達成するために、本発明の施錠装置は、筐体側の内側に固定された受け部に、前扉側の内側に固定された嵌入ロック部を嵌入させて前扉を施錠する遊技機用施錠装置であって、受け部には嵌入ロック部を嵌入させる嵌入凹部が形成されると共に、嵌入凹部の内面に鋸歯状部が設けられ、嵌入ロック部のケーシング内には、係止ラック部を突設した係止部材が係止ラック部をケーシングから出入する方向に回動可能に枢支され、ばね部材が係止ラック部をケーシングから突き出す方向に係止部材を付勢して配設されると共に、係止部材に係合して係止ラック部を内側に戻す方向に回動させるための解錠部材が嵌入ロック部に配設され、解錠部材は連結杆を介してシリンダ錠の錠軸に固定したカム部材に連係され、連結杆には施錠状態でカム部材に係合して連結杆の移動を阻止するロック部材が取り付けられたことを特徴とする。
【０００７】
ここで、上記施錠装置において、請求項２のように、上記嵌入ロック部は前扉に固定される基枠体の上部と下部に取り付けられ、受け部は筐体内の上部と下部の嵌入ロック部に対応した位置に取り付けられ、基枠体の中間位置にシリンダ錠が錠軸を基枠体の内側に挿入して取り付けられ、連結杆を基枠体の内側に摺動可能に配設して構成することができる。
【０００８】
また、請求項３のように、上記嵌入ロック部は基枠体の上部と下部に嵌合部を介して嵌着され、連結杆の上端部と下端部を解錠部材の連結部に嵌め込んで組み付けることができる。
【発明の効果】
【０００９】
この遊技機用施錠装置は、遊技機の前扉を筐体に対し閉じると、前扉側の嵌入ロック部が筐体側の受け部の嵌入凹部内に進入する。このとき、嵌入ロック部のケーシングから外側に突出した係止部材の係止ラック部が、嵌入凹部内面の鋸歯状部を乗り越えながら奥に向かって進入する。鋸歯状部には多数の鋸歯が進入方向に向かって配置され、係止ラック部の鋸歯は反進入方向に傾斜して配設され、係止部材はばね部材により鋸歯に係止される方向に付勢されているため、受け部の嵌入凹部内に一旦進入した嵌入ロック部は、係止ラック部が鋸歯に噛合して係止され、後戻りすることができない。
【００１０】
このため、前扉を筐体に対して閉じるに応じて、嵌入ロック部が受け部の奥まで進入し、その嵌入位置を保持するように係止ラック部が鋸歯状部に係止される施錠状態となる。このとき、前扉を筐体側に閉じる閉鎖力に応じて、係止ラック部が受け部の鋸歯状部を一つ一つ乗り越え、退行ができない状態となるため、施錠状態において前扉は筐体に対しがたつきなく、堅固にロックされ施錠される。
【００１１】
このような前扉の施錠状態においては、連結杆に取り付けたロック部材がカム部材に係合して連結杆の解錠方向への移動を阻止するため、仮に前扉の隙間から針金などを差し込んで連結杆を移動させようとしても、連結杆は移動できず、針金などによる不正解錠を防止することができる。
【００１２】
一方、前扉を解錠する場合は、キーによってシリンダ錠を回し、カム部材を回転させると、カム部材の回動によって、ロック部材とカム部材の係合が外れるとともに、カム部材によって連結杆が解錠方向に移動する。これにより、連結杆の上下部に連結された解錠部材が、上下の嵌入ロック部の係止部材を、その係止ラック部と鋸歯状部の係合を外す方向に回動させる。これにより、係止部材がその係止ラック部と鋸歯状部の係合を外す方向にばね部材の付勢力に抗して回動し、嵌入ロック部の受け部に対するロック動作が解除され、嵌入ロック部が受け部の嵌入凹部内から退出し、前扉は解錠され開放される。
【００１３】
また、請求項３のように、嵌入ロック部を基枠体の上部と下部に嵌合部を介して嵌着し、連結杆の上端部と下端部を解錠部材の連結部に嵌め込んで組み付ける構造とすれば、固定ねじの締め付けやリベットなどのかしめにより固定する場合に比べ、簡単に少ない工数で装置の組み立てを行うことができる。
【発明を実施するための最良の形態】
【００１４】
以下、本発明の実施例を図面に基づいて説明する。図１は前扉に取り付けられる施錠装置本体の左側面図を示し、図２はその背面図を示し、図３、図４はその基枠体９の上下部に嵌着される嵌入ロック部１の左側面図と右側面図を示している。さらに、図１０は、筐体側に固定されその嵌入ロック部１を嵌入させる受け部２の正面図などを示している。この施錠装置は、概略的には、筐体側に固定された受け部２に、前扉側に固定された嵌入ロック部１を嵌入させながらロックして前扉を施錠するように構成される。
【００１５】
図１０に示すように、筐体側に取り付けられる受け部２には嵌入ロック部１を嵌入させる嵌入凹部２０が形成され、嵌入凹部２０の内面に２個の鋸歯状部２１，２２が設けられる。受け部２は矩形筒状に形成され、内部に矩形断面をもった嵌入凹部２０が形成されている。嵌入凹部２０は一方の端部に進入口を形成し、他方の端部も開口して形成される。さらに、受け部２は、両側の側壁により、進入した嵌入ロック部１を挟んで保持するように形成され、一方の側壁内面に２つの鋸歯状部２１，２２が形成されている。
【００１６】
この鋸歯状部２１，２２の形状は、図１０に示すように、鋸歯の先端の方向が斜め奥を向くように形成され、嵌入ロック部１が進入しその係止ラック部１３，１４が鋸歯状部２１，２２に係止されたとき、鋸歯を乗り越えて進入可能で、後退ができない形状に形成されている。さらに、この２つの鋸歯状部２１，２２はその位置を前後方向つまり進入方向に鋸歯の半ピッチだけずらして配置されている。これにより、鋸歯状部２１，２２の鋸歯の大きさをある程度確保しながら、嵌入ロック部１の嵌入ロック位置を細かくセット可能としている。
【００１７】
嵌入ロック部１は、図３〜図６に示すように、そのケーシング１０が受け部２の嵌入凹部２０内に嵌入可能な形状に形成され、ケーシング１０内には、係止ラック部１３，１４を突設した２個の係止部材１１，１２が、その係止ラック部１３，１４をケーシング１０から出入する方向に、各々独立して回動可能に枢支されている。さらに、ばね部材１７、１８が各々の係止部材１１，１２の係止ラック部１３，１４を、ケーシング１０内から外側に突き出す方向に係止部材１１，１２を付勢するように配設されている。
【００１８】
ばね部材１７、１８は板ばねを曲折して構成され、係止部材１１,１２と共にケーシング１０内に挿入される。ケーシング１０内に挿入された係止部材１１,１２は、その末端に形成された軸支部１１ｂ、１２ｂにケーシング１０側から枢軸１６が挿入され、ケーシング１０内で係止部材１１，１２はこの枢軸１６により回動可能に枢支されている。さらに、係止部材１１，１２の元部側（枢軸と反対側）には解錠部材２５に係合する丸棒状の係合部１１ａ，１２ａが突設されている。
【００１９】
一方、ケーシング１０の末端部には取り付け用のベース板１５が一体成形され、そのベース板１５の四隅に、鉤形の嵌合部１５ａが裏面に突設され、中央には、スリット１５ｂが形成されている。そのスリット１５ｂ内には、係止部材１１,１２を非係止側に回動させて解錠するための解錠部材２５が、摺動可能に挿入される。４個の鉤形の嵌合部１５ａは、嵌入ロック部１を基枠体９に組み付ける際に使用される。
【００２０】
解錠部材２５は、図６、図８、図９などに示すように、スリット１５ｂに挿入可能な板状本体の上に略直角三角形形の係合部２５ａ、２５ｂを突設して形成され、さらに、板状本体の両側に突部２５ｃが突設されている。図８に示すように、ベース板１５のスリット１５ｂの両側にこの突部２５ｃを嵌入可能な凹部１５ｄがシフトして形成され、この凹部１５ｄを通して解錠部材２５をスリット１５ｂ内に挿入し、作動位置ではその突部２５ｃにより解錠部材２５が外れずに摺動可能としている。
【００２１】
さらに、図６に示すように、解錠部材２５の板状本体には、連結杆５に連結される連結部２５ｄが長孔として形成され、解錠部材２５をベース板１５のスリット１５ｂに摺動可能に嵌入した際、ベース板１５の反対側に突き出した連結部２５ｄに、連結杆５の端部を嵌入して、連結ねじやリベットなどを使用せずに容易に連結杆５を連結できるようにしている。
【００２２】
解錠部材２５の板状本体の前面側には、略直角三角形状の２個の係合部２５ａ，２５ｂが並設されている。係合部２５ａ、２５ｂの両側に突部２５ｃが突設される。解錠部材２５の２個の係合部２５ａ，２５ｂは、解錠時に摺動したとき、その傾斜部を、上記係止部材１１，１２の係合部１１ａ，１２ａを押し付けて、係止部材１１，１２を解錠側に回動させるように動作する。
【００２３】
つまり、スリット１５ｂ内に摺動可能に嵌入された解錠部材１５は、図６、図７に示すように、略三角形状の係合部２５ａ，２５ｂの傾斜部を係止部材１１，１２の係合部１１ａ，１２ａに係合させ、解錠部材１５を下方に摺動させたとき、係合部１１ａ，１２ａを押して、ケーシング１０内の係止部材１１，１２の係止ラック部１３，１４を内側に戻す方向に回動させるように作用する。
【００２４】
嵌入ロック部１のケーシング１０は、図８、図９に示すように、２個の係止部材１１，１２を挿入可能な形状に形成され、一体成形されたベース板１５側に係止部材１１，１２を挿入するための開口部を設けている。さらに、そのケーシング１０の端部には枢軸１６を差し込むための孔が穿設され、ケーシング１０の上面つまり図８の背面側、図９の上面側に、矩形開口部が形成され、ケーシング１０内に係止部材１１，１２を挿入したとき、係止部材１１，１２の係止ラック部１３，１４がその矩形開口部から突出するようにしている。２個の係止部材１１，１２はケーシング１０内に挿入され、その端部が枢軸１６により回動可能に支持され、２個の係止部材１１，１２はケーシング１０内で独立して回動可能に支持されている。
【００２５】
２個の係止部材１１，１２は、図８、図９に如く、略同様な形状に形成され、ケーシング１０と同様に、平板部の両側に直角な側壁部を設けた断面コ字状に形成され、平板部に係止ラック部１３，１４を突き出すように、つまり嵌入ロック部１の反進入方向に向けて鋸歯を形成している。さらに、２個の係止部材１１,１２内には、図９に示すように、略Ｕ字形に曲折されたばね部材１８，１９が挿入され、そのばね部材１８，１９の一端が係止部材１１，１２の平板部に当接し、その他端が挿入されたケーシング１０の内部に当接し、これにより、各係止部材１１，１２の係止ラック部１３,１４をケーシング１０の矩形開口部から外側に突き出すようにしている。
【００２６】
係止部材１１，１２の係合部１１ａ，１２ａは、解錠部材１５の傾斜した係合部１５ａ，１５ｂと係合可能に配設され、解錠時、解錠部材１５が上方に摺動したとき、係合部１１ａ，１２ａが傾斜した係合部１５ａ，１５ｂに押されて、係止部材１１，１２を内側に回動させ、係止ラック部１３，１４を内側に入れるように動作する。
【００２７】
このように、２個の係止部材１１，１２は、ケーシング１０の内側に並んで配設され、その元部の軸支部１１ｂ、１２ｂがロッド１６により独立して回動可能に支持される。そして、係止部材１１，１２の外側面には係止ラック部１３，１４がケーシング１０の開口部１０ａ、１０ｂから外側に突き出すように突設され、両係止部材１１，１２内に装着されたばね部材１７，１８によって、係止部材１１，１２はその係止ラック部１３，１４を開口部１０ａ，１０ｂから外側に突き出すように付勢されている。
【００２８】
２個の係止部材１１，１２の係止ラック部１３，１４は、受け部２側の鋸歯状部２１，２２の鋸歯の位置が相互にずれている場合、同じ位置でよいが、鋸歯状部２１，２２の鋸歯の位置が相互にずれていない場合、その進入方向の前後位置を鋸歯の半ピッチづつずらして配置する。
【００２９】
このような構成の嵌入ロック部１は、同じ構造のものが２個用意され、図１、図２に示すように、施錠装置本体の基枠体９の上部と下部に、同じ向きで取り付けられる。基枠体９は、取付板９ａと支持板９ｂを直角に曲折し横断面を略コ字状としたフレーム状に形成され、その支持板９ｂの上部と下部に嵌入ロック部１を取り付ける取付部が形成されている。その支持板９ｂの取付部には、解錠部材２５の連結部２５ｄを挿通させるためのスリットが形成され、さらに、嵌入ロック部１のベース板１５の嵌合部１５ａを嵌め込むための矩形孔が４箇所に形成されている。
【００３０】
そして、上記嵌入ロック部１は、解錠部材２５をベース板１５のスリット１５ｂに取り付けた状態で、その連結部２５ｄを支持板９ｂのスリットに挿通させ、ベース板１５の嵌合部１５ａを支持板９ｂの矩形孔に嵌入して嵌着・固定する。これにより、嵌入ロック部１は、固定ねじの締め付けやリベットかしめなどを行わずに、簡単に嵌入ロック部１を基枠体９の所定位置に組付け固定することができる。さらに、基枠体１の内側には、支持板９ｂに沿って、連結杆５が摺動可能に配設され、連結杆５の上端と下端は取付板９ａ側に曲げて形成され、その連結杆５の上端と下端が、各々支持板９ｂの上端と下端に嵌着した嵌入ロック部１の解錠部材２５の連結部２５ｄに嵌め込まれ、これにより、上下の嵌入ロック部１の解錠部材２５が連結杆５と連結される。
【００３１】
一方、図２に示すように、基枠体９の取付板９ａの右側に、延設部９ｃが拡張して設けられ、その延設部９ｃに、シリンダ錠７を取り付けるための孔が形成されている。シリンダ錠７はその延設部９ｃに設けた孔に、外側からその錠軸を挿入するように差し込み、フランジ部をねじ止めして固定される。
【００３２】
さらに、シリンダ錠７の錠軸にはカム部材８が固定され、カム部材８には、その回動時に連結杆５の対応位置に設けた係合部５ａと係合する第一係合部８ａとスイッチ作動杆２７と係合する第二係合部８ｂが設けられている（図２）。連結杆５は基枠体９内の支持板９ｂに沿って上下摺動可能に配置され、その中間部に、カム部材８の第一係合部８ａが係合可能な係合部５ａが設けられ、シリンダ錠７にキーを差し込んで右に回した際、錠軸とカム部材８が回動し、そのとき、第一係合部８ａが連結杆５の係合部５ａを押して連結杆５を下方に移動させる。
【００３３】
さらに、連結杆５と支持板９ｂとの間にスイッチ作動杆２７が摺動可能に配設され、スイッチ作動杆２７には作動部２７ａが延設部９ｃ側に突き出して設けられる。延設部９ｃには、非接触スイッチ２６が取り付けられ、カム部材８の回動により、スイッチ作動杆２７が押し上げられた際、作動部２７ａが非接触スイッチをオンする。
【００３４】
さらに、連結杆５におけるカム部材８近傍には、施錠状態で連結杆５の動きをロックするためのロック部材２８が軸支されている。このロック部材２８は、先端にカム部材８と係合可能な係止部２８ｃが設けられ、その元部に軸支部２８ｂを有しその軸支部２８ｂを支持軸２８ａにより回動可能に軸支し、支持軸２８ａに装着したばね部材２８ｄにより、カム部材８をロックする位置に付勢されている。そして、カム部材８の形状とロック部材２８の係止部２８ｃの形状は、施錠状態において、連結杆５を解錠方向に移動させると、係止部２８ｃがカム部材８の上端に当たって移動を阻止し、解錠操作時にカム部材８が図２の反時計方法に回動する際には、カム部材８と係止部２８ｃとの係合が外れ、連結杆５が解錠方向に移動可能に形成されている。このロック部材２８は支持軸２８ａにより回動可能に軸支され、ばね部材２８ｄによってロック位置に付勢されているから、その支持軸２８ａを軸に上方に回動すれば、ロックは解除された状態となり、カム部材８の上方は開放されるから、点検や部品の交換などの際には、ロック部材のロックを解除することができる。
【００３５】
なお、基枠体９の下端部には、滑り支持部２９が背面側に突き出すように固定される。この滑り支持部２９に対応して、筐体３０側にローラが軸支され、前扉３１の閉鎖時に滑り支持部２９が筐体３０側のローラに乗り上げ、前扉３１が少し持ち上げられて閉鎖されるように構成される。
【００３６】
このように構成された施錠装置は、図１１、図１２、図１３に示すように、その嵌入ロック部１を有する施錠装置本体が、遊技機における例えば合成樹脂製の前扉３１の内側に、シリンダ錠７の先端を前面に露出させ、嵌入ロック部１を遊技機の筐体３０側に突出した状態で取り付けられる。
【００３７】
一方、筐体３０の内側の嵌入ロック部１，１に対応した上下位置（側壁の一部）には、受け部２、２がその進入口を前方に向けて配設され、取付ブラケット３を介して固定される。
【００３８】
このような遊技機用施錠装置は、遊技機における前扉３１を筐体３０に対し閉じると、図１１〜図１３に示すように、上下の嵌入ロック部１，１が筐体３０側の受け部２，２の嵌入凹部２０内に進入する。
【００３９】
このとき、上下の嵌入ロック部１，１は、その外側平板部の開口部１０ａ，１０ｂから外側に突き出した係止ラック部１３，１４を、受け部２，２の内側の鋸歯状部２１，２２に接触させながら進入していく。つまり、後方に傾斜した鋸歯を有する係止ラック部１３，１４が、鋸歯状部２１，２２に接触し、鋸歯を乗り越えながら、嵌入凹部２０の奥に進入していく。
【００４０】
このとき、係止部材１１，１２は、ばね部材１７、１８により、その係止ラック部１３，１４を突き出す側に付勢されているから、そのばね力に抗して僅かに回動するように作用し、係止ラック部１３，１４が鋸歯を乗り越えることになる。またこのとき、嵌入ロック部１，１には、各々２個の係止部材１１，１２が配設され、その各々が受け部２側に設けた２つの鋸歯状部２１，２２に接触しながら進入し、２つの鋸歯状部２１，２２はその鋸歯のピッチがその進入方向で半ピッチずれて形成されているため、鋸歯状部２１，２２の鋸歯が大形であっても、嵌入ロック部１，１に進入してロックされる係止部材１１，１２の係止ラック部１３，１４の移動ピッチは、その半ピッチとなり、細かい移動に伴い係止（ロック）を繰り返しながら、嵌入ロック部１，１は受け部２、２内に進入していく。
【００４１】
つまり、前扉３１を筐体３０に対し閉じていくと、嵌入ロック部１，１は受け部２、２内に徐々に進入していくが、鋸歯状部２１，２２の鋸歯の半ピッチづつの非常に細かい僅かな押し込み量で、嵌入ロック部１，１が受け部２，２に対し徐々にロックされていくため、図１３に示すように、最終的に前扉３１を閉じた状態では、扉と筐体の間に殆ど隙間が生じず、前扉３１はがたつきのない状態で筐体３０に対し堅固にロックされる。
【００４２】
上記のような施錠状態において、連結杆５に取り付けられたロック部材２８は、図１、図２に示すように、その先端の係止部２８ｃがカム部材８の真上に位置しているから、仮に不正解錠を目的として、針金などを連結杆に引っ掛けて、連結杆を解錠方向に移動させようとしても、連結杆５はロック部材２８の係止部２８ｃがカム部材８の上端部にあたって、その移動は阻止され、付勢解錠は防止される。
【００４３】
前扉３１を解錠する場合は、キーをシリンダ錠７に差し込みその錠軸を回し、カム部材８を図２の反時計方向に回転させると、カム部材８の回転により、カム部材８の第一係合部８ａが同方向に回動して連結杆５側の係合部５ａに係合する。このとき、解錠操作時にはカム部材８が図２の反時計方法に回動する際、カム部材８と係止部２８ｃとの係合が外れ、連結杆５が解錠方向に移動可能に形成されているから、ロック部材２８のロックを解除して連結杆５は下方に摺動することができる。そして、連結杆が下降すると、上下の嵌入ロック部１，１内の解錠部材２５、２５が下方に移動し、解錠部材２５，２５に設けられた係合部２５ａ，２５ｂが係止部材１１，１２の先端の係合部１１ａ，１２ａに当りそれを押す。このとき、係止部材１１，１２が内側への回動力を受けて枢軸１６を軸に図１３の下側に回動し、その係止ラック部１３，１４が内側に入って、受け部２の鋸歯状部２１，２２との係止を外す。これにより、嵌入ロック部１，１のロックが解除され、受け部２，２の嵌入凹部２０，２０から嵌入ロック部１，１が退出し、前扉３１は開放される。
【００４４】
このように、本施錠装置では、前扉３１を筐体３０に対し閉じるに応じて、上下の嵌入ロック部１，１が受け部２，２内に進入し、嵌入ロック部１，１の係止ラック部１３，１４が受け部２，２の内側の鋸歯状部２１，２２に接触しその鋸歯を乗り越えながら奥に進入していく。このために、筐体３０に対し前扉３１を閉じて押し込んだとき、その押し込み量に応じて、嵌入ロック部１，１が受け部２，２に進入しロックされる状態となり、最終的に前扉３１を閉じた状態では、殆ど隙間が生じない状態となり、前扉３１を筐体３０に対しがたつきのない状態で堅固にロックすることができる。
【００４５】
以上説明したように、本発明の遊技機用施錠装置によれば、嵌入ロック部の係止ロック部が退行不可能な状態で受け部の鋸歯状部の鋸歯を一つ一つ乗り越えて進みロックされるから、前扉を筐体に対し押し付けるように閉鎖して施錠した場合、前扉と筐体の間に殆ど隙間が生じず、前扉をがたつきのない状態で、堅固に施錠することができる。
【００４６】
また、施錠状態においては、連結杆に取り付けたロック部材がカム部材に係合して連結杆の解錠方向への移動を阻止するため、仮に針金などを差し込んで連結杆を移動させようにしても、連結杆は移動できず、針金などによる不正解錠を防止することができる。
【００４７】
さらに、嵌入ロック部を基枠体の上部と下部に嵌合部を介して嵌着して固定し、連結杆の上端部と下端部を解錠部材の連結部に嵌め込んで組み付ける構造とすれば、固定ねじの締め付けやリベットなどのかしめにより固定する場合に比べ、施錠装置を簡単に少ない工数で装置の組み立てを行うことができる。
【図面の簡単な説明】
【００４８】
【図１】本発明の一実施形態を示す施錠装置の左側面図である。
【図２】その背面図である。
【図３】嵌入ロック部１の左側面図である。
【図４】嵌入ロック部１の右側面図である。
【図５】嵌入ロック部１の平面図である。
【図６】嵌入ロック部１の正面図である。
【図７】嵌入ロック部１の解錠時の正面図である。
【図８】嵌入ロック部１の分解左側面図である。
【図９】嵌入ロック部１の分解平面図である。
【図１０】（ａ）は受け部２の左側面図、（ｂ）は同正面図、（ｃ）は断面図である。
【図１１】使用時の閉じる状態を示す平面図である。
【図１２】使用時の閉じる状態を示す左側面図である。
【図１３】使用時の施錠状態を示す断面図である。
【符号の説明】
【００４９】
１−嵌入ロック部
２−受け部
５−連結杆
７−シリンダ錠
８−カム部材
９−基枠体
１０−ケーシング
１１、１２−係止部材
１３、１４−係止ラック部
１５−ベース板
１７−ばね部材
２０−嵌入凹部
２１、２２−鋸歯状部
２５−解錠部材
２８−ロック部材
【図１】
2005160798.tif 000003
【図２】
2005160798.tif 000004
【図３】
2005160798.tif 000005
【図４】
2005160798.tif 000006
【図５】
2005160798.tif 000007
【図６】
2005160798.tif 000008
【図７】
2005160798.tif 000009
【図８】
2005160798.tif 000010
【図９】
2005160798.tif 000011
【図１０】
2005160798.tif 000012
【図１１】
2005160798.tif 000013
【図１２】
2005160798.tif 000014
【図１３】
2005160798.tif 000015